(57)【要約】【課題】手掛けレバーと巾木との回転移動自在な取付部に埃が溜まることにより、手掛けレバーによるシャッター装置の施錠装置の解錠が阻害されるのを防止する。【解決手段】シャッター装置のシャッターカーテンの先端部に左右に延在して巾木１６が設けられる。巾木１６には、シャッターカーテンを閉じた状態に保持する施錠装置３０が設けられる。巾木１６の室内側に手掛けレバー３１が設けられる。手掛けレバー３１が巾木１６の長さ方向に沿った軸４６の周りに回転自在に取り付けられる取付部である軸受け部３２を有する。手掛けレバー３１を回転することにより施錠装置３０を解錠する。巾木１６に室内側に延出して軸受け部３２上を覆う屋根片が設けられる。手掛けレバー３１に軸受け部３２より室内側から屋根片４７の下面側に延出し、手掛けレバー３１の回転に対応して屋根片４７の下面にほぼ沿って移動する閉塞片３４が設けられている。【選択図】図４
2007308997.tif 000002
【特許請求の範囲】
【請求項１】
建築物の開口部の左右に立設された一対のガイドレールを有する枠部材と、
前記ガイドレールに沿って昇降移動可能なシャッターカーテンと、
前記シャッターカーテンの先端部に左右に延在して設けられる巾木と、
前記巾木に設けられ、前記シャッターカーテンを閉じた状態で、前記枠部材の下端部に前記巾木を掛止した状態に保持する施錠装置と、
前記巾木の室内側に左右に延在するように設けられるとともに、前記巾木の長さ方向に沿った軸周りに回転自在に取り付けられる回転取付部を有し、回転することにより前記施錠装置を連動させて解錠する手掛けレバーとを備え、
前記巾木に室内側に延出して前記回転取付部上を覆う屋根片が設けられ、
前記手掛けレバーに前記回転取付部より室内側から前記屋根片の下面側に延出するとともに、前記手掛けレバーの回転に対応して屋根片の下面にほぼ沿って先端が移動する閉塞片が設けられていることを特徴とするシャッター装置。
【発明の詳細な説明】
【技術分野】
【０００１】
本発明は、開閉自在なシャッターカーテンを備えるとともに、シャッターカーテンの先端部材となる巾木にシャッターカーテンを閉じた状態に保持する施錠装置と、該施錠装置を解錠する手掛けレバーを備えたシャッター装置に関する。
【背景技術】
【０００２】
住宅等の建築物の窓等の開口部に設けられるシャッター装置は、開口部の左右に立設された一対のガイドレールに沿ってシャッターカーテンが昇降可能に設けられ、このシャッターカーテンを巻取ドラムに巻き取ることでシャッターカーテンを引き上げて開口部を開放し、シャッターカーテンを巻取ドラムから引き出して開口部を閉塞するようになっている。
前記ガイドレールやシャッターカーテン及び巻取ドラムを備えたシャッター本体は、建築物の開口部に取り付けられるとともにシャッター装置が取り付け可能な窓サッシの室外側に取り付けられている。
また、シャッターカーテンは、左右に細長いスラットを上下方向に多数連結することにより、巻取ドラムに巻き取ることが可能な構成とされるとともに、上端部が巻取ドラムに接続され、下端部には、シャッターカーテンの先端部材となる巾木が設けられている。
この巾木は、最下端となるスラットに連結されるとともに、スラットと略同様に前記ガイドレールにガイドされるように左右のガイドレールに渡る長さを有する。
【０００３】
そして、巾木には、開口部側に固定された前記ガイドレール等を有する枠側と係合してシャッターカーテンを閉じた状態に保持する施錠装置が設けられている。
この施錠装置には、様々なものが知られているが、例えば、枠部材の下枠部分に受けピンを配置し、巾木側にこの受けピンに係合するロック部材と、ロック部材とリンクするレバーとを備えたものが知られている（例えば、特許文献１参照）。
【０００４】
ロック部材及びレバーは、共に回転自在となっており、シャッターカーテンを閉める際に、巾木が受けピンの位置まで下降すると、受けピンがロック部材に接触し、これに伴なってロック部材が回転することで、受けピンとロック部材が係合して施錠された状態となる。
この状態でレバーを上に引くと、レバーにリンクしたロック部材が回転し、受けピンとの係合が解除されるようになっている。
前記特許文献１では、このレバーに紐が取り付けられ、この紐を上に引き上げることで、レバーを解錠側に操作可能となっている。
【０００５】
しかし、この場合には、紐を掴まないと解錠操作ができないので、例えば、解錠操作を行う場所が限定されてしまう。これにより、例えば、シャッター装置より室内側に配置された窓サッシの障子の位置や、さらに室内側に配置された家具や観葉植物の位置によっては、操作性が悪い状態となってしまう。
そこで、巾木に前記レバーに連動するとともに左右に長い手掛けレバーを取り付け、この手掛けレバーに紐を取り付けたものが知られている。
【０００６】
手掛けレバーは、巾木に対して左右に延在する軸方向回りに回転可能に嵌合しており、この手掛けレバーを回転させることで、上述のレバーを介してロック部材を回動させることにより解錠可能となっている。したがって、紐を介して手掛けレバーを操作することにより解錠してもよいし、左右に長い手掛けレバーに直接手を掛けて解錠してもよく、シャッター装置の前の一部になにか物が存在しても解錠操作の妨げとならない。
【０００７】
【特許文献１】特開２００１−３１１３４１号公報
【発明の開示】
【発明が解決しようとする課題】
【０００８】
ところで、巾木は、互いに上下に間隔をあけて配置された水平な上辺部と、下辺部とこれら上辺部および下辺部の室外の端部間に配置される垂直な室側辺部とから概略コ字状に形成され、開放部分を室内側に向けている。そして、この巾木内に施錠装置が収納されるとともに、巾木内の施錠装置の上側に左右に延在するように手掛けレバーが配置されている。そして、手掛けレバーは、例えば、上述の上辺部の室内側端部に回転移動自在に取り付けられており、この巾木と手掛けレバーとの取付部分が手掛けレバーの回動中心となる。
【０００９】
ここで、巾木と手掛けレバーとの取付部分は、例えば、巾木と手掛けレバーの一方に左右に延在する軸を設け、他方にこの軸の周囲を覆う概略円筒状の軸受け部を設け、軸に対して円筒状の軸受け部が回転自在となる構造となっている。
また、軸及び軸受け部は、巾木本体（上辺部）もしくは手掛けレバー本体に接続片を介して接続される必要があることから、軸受け部が軸の全周を覆った状態とすることはできず、軸受け部は完全な円筒ではなく軸と巾木本体もしくは手掛けレバー本体との接続部を避けるように、一部を切り欠いた断面Ｃ字状となっている。
【００１０】
また、断面Ｃ字状となった軸受け部の開放部分は、前記接続片の厚みより広くなっており、この開放部分に対して接続片が相対的に移動可能な範囲が手掛けレバーの移動範囲（回転範囲）となる。
ここで、Ｃ字状の軸受け部の開放側の端部と軸の接続片との間に埃が溜まり、かつ、手掛けレバーの回転移動により、軸受け部の端部と軸の接続片との間で埃が圧縮された状態となると、軸の接続片に対する軸受け部の回転範囲、すなわち、手掛けレバーの回動範囲が狭まることになり、これをそのまま放置すると、最終的に施錠装置の施錠を解錠できない状態となってしまう可能性がある。また、Ｃ字状の軸受け部の開放側の端部と軸の接続片との間に異物が詰まっても施錠装置の解錠ができない状態となる。なお、このような状態となっても埃や異物を取り除けば、施錠装置の解錠が再び可能となる。すなわち、上述のような構成では、例えば、埃が多く溜まってしまう前に埃を取り除くメンテナンスが必要となる。
【００１１】
本発明はこのような事情に鑑みてなされたもので、上述のように手掛けレバーと巾木との回転移動自在な取付部に埃が溜まるのを防止し、手掛けレバーのメンテナンスを不要とすることを目的とする。
【課題を解決するための手段】
【００１２】
前記目的を達成するために、請求項１に記載のシャッター装置は、
建築物の開口部の左右に立設された一対のガイドレールを有する枠部材と、
前記ガイドレールに沿って昇降移動可能なシャッターカーテンと、
前記シャッターカーテンの先端部に左右に延在して設けられる巾木と、
前記巾木に設けられ、前記シャッターカーテンを閉じた状態で、前記枠部材の下端部に前記巾木を掛止した状態に保持する施錠装置と、
前記巾木の室内側に左右に延在するように設けられるとともに、前記巾木の長さ方向に沿った軸周りに回転自在に取り付けられる回転取付部を有し、回転することにより前記施錠装置を連動させて解錠する手掛けレバーとを備え、
前記巾木に室内側に延出して前記回転取付部上を覆う屋根片が設けられ、
前記手掛けレバーに前記回転取付部より室内側から前記屋根片の下面側に延出するとともに、前記手掛けレバーの回転に対応して屋根片の下面にほぼ沿って先端が移動する閉塞片が設けられていることを特徴とする。
【００１３】
なお、回転取付部は、例えば、背景技術で説明した接続片に接続された軸もしくは当該軸の周囲に配置されるＣ字状の軸受け部であってもよく、また、回転自在に取り付けられる構造ならば他の構造でもよい。
【発明の効果】
【００１４】
請求項１記載のシャッター装置によれば、前記回転取付部の上側が屋根片の下側となることで回転取付部の埃やその他異物の進入が規制されるとともに、さらに、巾木から室内側に延出する屋根片と手掛けレバーの回転取付部との間の開放された部分が閉塞片により塞がれることで、より確実に回転取付部の部分に埃が溜まったり異物が侵入したりするのを防止することができる。
これにより、埃やその他異物により手掛けレバーの回転が阻害するのを防止し、メンテナンスフリーで手掛けレバーによる解錠操作が常時可能な状態に保持することができる。
【発明を実施するための最良の形態】
【００１５】
以下、添付した図面を参照しながら、本発明の第１の実施の形態を説明する。
図１〜図２は本発明の実施の形態に係るシャッター装置１０を備えた開口部装置としての窓サッシ２０を示し、図３は前記シャッター装置１０の施錠装置３０を示し、図４および図５は施錠装置３０の施錠および解錠の動作を示すものである。
図１，２に示すように窓サッシ２０は、建築物の開口部にはめ込まれる矩形枠状の枠部材２１を備え、該枠部材２１の室外側にシャッター装置１０が設けられ、シャッター装置１０の室内側に左右に移動自在な一枚の網戸２２と、ガラス板２３がはめ込まれた外障子２４と内障子２５とを備えている。外障子２４及び内障子２５は左右引き違いに配置されたもので、開放状態とした場合に枠部材２１の内周側となる開口部分の左右半分のいずれかを開放可能となっている。
【００１６】
そして、この窓サッシ２０に一体に備えられたシャッター装置１０は、前記枠部材２１の左右側部の前部にそれぞれ上下に延在する一対のガイドレール１１が備えられている。
そして、このガイドレール１１に左右側部を案内されるように、シャッターカーテン１２が設けられている。シャッターカーテン１２は、左右に細長いスラット１３，…を上下方向に多数連結したものであり、巻き取ることが可能となっている。
【００１７】
そして、前記枠部材２１の上には、シャッターカーテン１２を巻き取る巻取ドラム１４が回転可能に取り付けられるとともに、巻取ドラム１４はカバー部材１５に覆われた状態となっている。
そして、巻取ドラム１４の外周面には、シャッターカーテン１２の上端部が固定され、巻取ドラム１４が正転することによりシャッターカーテン１２を巻き取って、シャッターカーテン１２を上昇させてシャッターカーテン１２を開放状態とするとともに、巻取ドラム１４を逆転することによりシャッターカーテン１２を下降させてシャッターカーテン１２を閉塞状態とするようになっている。
【００１８】
この例では、シャッター装置１０は、手動式のものとされ、巻取ドラム１４は、正転方向に付勢されており、シャッターを閉塞状態とする場合には、巻取ドラム１４に巻き取られたシャッターカーテン１２の巾木１６（手掛けレバー３１）に手を掛けて付勢力に抗してシャッターカーテン１２を巻取ドラム１４から引き出すことにより、シャッターカーテン１２を閉塞状態とし、後述の施錠装置３０により施錠することで、シャッターカーテン１２を閉塞状態に保持するようになっている。また、閉塞状態のシャッターカーテン１２において施錠装置３０の施錠を解錠すると、付勢された巻取ドラム１４によってシャッターカーテン１２が巻き取られることで、自動的にシャッターカーテン１２が開放状態となるとともに、開放状態に保持されるようになっている。なお、本発明のシャッター装置は、手動式に限られるものではなく、巻取ドラム１４をモータ等で駆動する電動式にも適用可能である。
【００１９】
シャッターカーテン１２の下端部には、シャッターカーテン１２の先端部（下端部）を構成する巾木１６が設けられている。
そして、この巾木１６に施錠装置３０と手掛けレバー３１が配置される。
以上のようにシャッター装置１０は、建築物の開口部の左右に立設された一対のガイドレール１１，１１を有する枠部材２１と、前記ガイドレール１１，１１に沿って昇降移動可能なシャッターカーテン１２と、前記シャッターカーテン１２の先端部に左右に延在して設けられる巾木１６と、この巾木１６に設けられ、シャッターカーテン１２を閉じた状態で、枠部材２１の下端部に巾木１６を掛止した状態に保持する施錠装置３０と、巾木１６の室内側に左右に延在するように設けられるとともに、後述のように巾木１６の長さ方向に沿った軸周りに回転自在に取り付けられる回転取付部としての軸受け部３２を有し、回転することにより施錠装置３０を連動させて解錠する手掛けレバー３１とを備えている。
【００２０】
施錠装置３０を有する巾木１６は、上述の左右一対のガイドレール１１，１１間に渡る長さを有するものとなっている。
そして、図３、図４、図５に示すように、巾木１６は、巾木本体１７と、施錠装置３０と、手掛けレバー３１とを備える。なお、巾木１６の両端部には、衝撃干渉装置１８，１８が設けられている。衝撃干渉装置１８，１８は、付勢された巻取ドラム１４によってシャッターカーテン１２を閉じる際に、カバー部材１５の所定位置に当接して、シャッターカーテン１２を閉じる際の衝撃を吸収するものである。
【００２１】
また、巾木本体１７は、その断面が水平な上辺部４１とこの上辺部の室外側端部から下方に垂設される室外側壁部４２と、室外側壁部４２の下端から室内側に水平に延出する下辺部４３とから概略コ字状（チャネル状）に形成されている。
そして、上辺部４１の上面側には、左右に延在してシャッターカーテン１２を構成する最下端のスラット１３の下端部を回転可能に接続する回転連結部４４が形成されている。
また、上辺部４１の室内側の端部には、ほぼ垂直に下方に延出した後に室内側に向かうにつれて下がるように斜めに延出する軸支持部４５が上辺部４１に一体に連続して形成されている。軸支持部４５は、巾木１６の左右の長さ方向に沿って当該巾木１６の略全幅（左右端部を除く全幅より僅かに短い長さ）に渡って延在する部材であり、その先端部が巾木１６の長さ方向に沿って水平に配置される軸４６とされている。
【００２２】
軸４６は、手掛けレバー３１の後述の内周面が円弧状とされた軸受け部３２（回転取付部）が回動自在に外側に嵌合する構造となっており、外周面が円弧状のＣ字状に形成されている。
なお、Ｃ字状の軸４６は、室内側でかつ斜め下側が開放した状態となっており、室外側が軸支持部４５に一体に接続された状態となっている。また、軸４６が円柱状でも円筒状でもなくＣ字状なので、弾性変形による縮径が可能であり、前記手掛けレバー３１の後述ようにＣ字状の軸受け部３２の開放部分から軸４６を押し込むことにより、軸４６を弾性変形により縮径して軸受け部３２内に挿入することが可能であり、軸４６が弾性復帰した際に軸受け部３２に軸４６が抜けづらい状態で嵌合した状態とすることができる。
なお、軸４６に軸受け部３２を嵌合させる際に、上述のように軸４６を縮径させるように弾性変形させるのではなく、軸４６の左右端部の一方に、軸受け部３２の左右端部の他方を突き当てた状態にした後に軸受け部３２内に軸４６を挿入するように左右に移動して軸受け部３２内に軸４６を嵌合させてもよい。
【００２３】
また、上辺部４１の室内側端部には、上述の軸支持部４５に加えて、上辺部４１の室内側端部から上方に向かって垂直に延出した後に上に凸となるように湾曲した状態で室内側に向かって延出する屋根片４７が形成されている。
屋根片４７は、上述の軸支持部４５より長く室内側に延出して形成され、軸４６（軸４６に嵌合する軸受け部３２）の上部を覆うようになっている。すなわち、巾木１６に室内側に延出して前記回転取付部となる軸受け部３２上を覆う屋根片４７が設けられている。
また、屋根片４７の端部は、ほぼ水平な状態から下方に向けて屈曲された状態となっており、この下方に屈曲された部分が、手掛けレバー３１に設けられる後述の閉塞片３４に掛止される掛止部４９となっている。
【００２４】
なお、軸支持部４５は、後述のように手掛けレバー３１の軸受け部３２が手掛けレバー３１の断面の略重心となる位置に配置され、後述のレバー本体３３の位置を巾木１６の上下の範囲内に配置するために、上述のように上辺部４１から下方に延出した状態となっている。
施錠装置３０は、巾木１６の上辺部４１と下辺部４３との間に配置されて巾木１６に嵌合して固定された状態となっている。なお、施錠装置３０の室内側は、室外側より低く形成されており、巾木１６の上辺部４１より低くされることで、この低くなった部分の上に手掛けレバー３１を配置可能となっている。
そして、施錠装置３０は、従来周知のロック部材（図示略）と、当該ロック部材とリンクするレバー（図示略）とを備えたもので、下部に枠部材２１の受けピン（図示略）が挿入可能な切欠部５１を備え、巾木１６を最下端部まで下ろすと、施錠装置３０の切欠部５１内に受けピンが入り込み、ロック部材と接触してロック部材を回転させて施錠状態となる。
したがって、施錠装置３０は、枠部材２１の下枠の受けピンの位置に対応して設けられている。
【００２５】
また、施錠装置３０は、その上部からレバーと連動するスイッチ５２が出没自在に設けられており、図４（ａ）に示すように、通常、施錠装置３０上に突出した状態となっている。このスイッチ５２を手掛けレバー３１が押圧して図４（ｂ）に示すように押し下げるとレバーを介してロック部材が連動し、ロック部材と受けピンとの係合が解除されて、解錠されるようになっている。すなわち、手掛けレバー３１の回転に連動させて施錠装置３０を解錠することが可能となっている。
なお、施錠装置３０には、操作部分を押すことにより解錠するもの以外に操作部分を引き上げることにより解錠するものもあり、例えば、上述のロック部材とリンクするレバーを引き上げることにより解錠するものがある。この場合に手掛けレバー３１の回転に連動してレバーが引き上げられる構成とすればよく、手掛けレバー３１と施錠装置３０との連動部分の構成は異なるが、手掛けレバー３１の巾木１６への回転自在な取り付け構造はこの例の操作部材を押すことにより解錠するものと同様となり、本発明を適用可能である。
【００２６】
手掛けレバー３１は、前記軸支持部４５の軸４６に回動自在に嵌合する軸受け部３２（回転取付部）と、該軸受け部３２に接続されたレバー本体３３と、レバー本体３３から屋根片４７に向かって延出する閉塞片３４と、軸受け部３２から施錠装置３０のスイッチ５２上に概略Ｃ字状に延出する押圧片３５とを備える。
【００２７】
軸受け部３２は、断面Ｃ字状に形成され、断面Ｃ字状の軸４６の外側に取り付けられる。そして、軸受け部３２の内周面が円弧状とされるとともに、軸４６の円弧状の外周面に対して円周に沿って移動自在とされる。なお、軸受け部３２の回動範囲は、Ｃ字状の軸受け部３２の開放部分の円周方向に沿った長さで規制されるが、後述のように、軸受け部３２と一体に回転する手掛けレバー３１の回転が他の部材により規制されるものとしてもよい。
【００２８】
レバー本体３３は、軸受け部３２に接続されるとともに施錠時等の通常の状態（上述の施錠装置３０のスイッチ５２を押圧していない図４（ａ）の状態）の場合に、垂直に配置される室外側板部と、室外側板部の上端部から略水平に延出する上板部と、室外側板部の下端部から略水平に延出する下板部と、前記上板部の室内側端部と、前記下板部の室内側端部との間にほぼ垂直に掛け渡された室内側板部とから断面が概略矩形枠状とされる。すなわち、レバー本体３３は、矩形筒状とされるが、室内側板部には、その上下のほぼ中央部に左右に延在するスリット３６が形成され、上部と下部に完全に分離された状態となっている。
【００２９】
レバー本体３３は、手掛けレバー３１を後述のように操作する際に手を掛ける部分であるとともに、手掛けレバー３１に操作紐７１が取り付けられる部材となっている。
ここで、操作紐７１は、紐取付部材７２を介して、手掛けレバー３１のレバー本体３３に取り付けられるようになっている。なお、以下の各図において、操作紐７１は、紐取付部材７２に取り付けられる一部だけを図示している。紐取付部材７２は、前記レバー本体３３の内部に挿入されることで、レバー本体３３に取り付けられるベース部と、ベース部から前記レバー本体のスリット３６部分でレバー本体３３の外部に突出する連結部と連結部を介してベース部に一体に接続される紐掛止部と、紐掛止部に形成された紐通し穴と、固定用ネジとからなる。
【００３０】
ベース部は、レバー本体３３の端部から筒状のレバー本体３３内に挿入されるようになっている。また、ベース部と紐掛止部とは、レバー本体３３の室内側板部を左右から挟むように配置されるとともに、室内側板部のスリット３６にベース部と紐掛止部とを連結する連結部が挿通した状態となっており、これにより、紐取付部材７２は、左右に移動自在にレバー本体３３に取り付けられている。
【００３１】
また、紐通し穴は、紐掛止部を上下方向に貫通するように形成され、操作紐７１が挿通されるとともに、操作紐７１の一方の端部に抜け止が設けられることで、操作紐７１が紐取付部材７２に固定された状態となっている。
また、紐取付部材７２には、室内−室外方向に沿ってネジ孔が貫通した状態となっている。すなわち、紐掛止部、連結部、ベース部を貫通してネジ孔が形成され、このネジ孔に固定用ネジ７３が螺合した状態となっており、固定用ネジ７３を締め付けることにより、レバー本体３３に対して左右に移動不可となるように紐取付部材７２が固定される。
【００３２】
前記閉塞片３４は、上記レバー本体３３の上板部から上方に位置する屋根片４７に向かって延出している。また、閉塞片３４は、室内側から室外側へ斜めとなるように上方に延出しているとともに、室内側に向かって斜め上方に凸となるように湾曲して形成されている。そして、手掛けレバー３１が施錠装置３０のスイッチ５２を押圧していない通常の状態で、閉塞片３４の屋根片４７側の端部は、略水平な状態となっており、その端部が上に向かって屈曲して掛止片８１を形成している。なお、レバー本体３３は、回転取付部となる軸受け部３２より室内側にあり、レバー本体３３に取り付けられる閉塞片３４は、軸受け部３２より室内側から屋根片４７の下面側に延出する。
【００３３】
そして、施錠装置３０のスイッチ５２を押圧していない通常時には、閉塞片３４の掛止片８１と、屋根片４７の掛止部４９に接触することにより、後述のように押圧片３５とともに、手掛けレバー３１の後述の解錠方向の逆方向となる回転を規制している。
また、掛止部４９と掛止片８１が接触した状態では、屋根片４７と、閉塞片３４とで、軸４６と軸受け部３２とが回動自在に嵌合した部分を覆った状態となるとともに、屋根片４７により固定的に覆われた部分に対して、回転移動自在な閉塞片３４が蓋をした状態、すなわち、上述の軸４６と軸受け部３２との嵌合部分を左右端部を除いて塞いだ状態となる。これにより、軸４６と軸受け部３２と部分に埃が侵入するのを防止するようになっている。したがって、Ｃ字状の軸受け部３２の開放部側の端部と、軸４６の軸支持部４５との接続部との間に埃が溜まるとともに、手掛けレバー３１の回転動作により埃が圧縮され、最終的に軸４６に対する軸受け部３２の回転が規制され、手掛けレバー３１による解錠が不可能となるのを防止することができる。
【００３４】
また、前記湾曲する屋根片４７は、手掛けレバー３１を解錠方向に回転した場合の閉塞片３４の先端となる掛止片８１の移動軌跡となる円弧に略沿った状態となっており、掛止片８１の先端は、屋根片４７の下側のほぼ円弧状の側面に沿って移動するようになっている。なお、この際に掛止片８１が屋根片４７の下側の側面に当接しながら移動してもよい。すなわち、手掛けレバー３１に軸受け部３２より室内側から屋根片４７の下面側に延出するとともに、手掛けレバー３１の回転に対応して屋根片４７の下面にほぼ沿って先端が移動する閉塞片３４が設けられている。
【００３５】
このような構成により、手掛けレバー３１を解錠側に回転させた場合でも、屋根片４７と閉塞片３４との間にほとんど隙間が無い状態となり、埃の進入を防止するようになっている。
前記押圧片３５は、スイッチ５２を押圧していない通常状態において、前記軸受け部３２から室外側に斜め上方に向かい、かつ、前記軸支持部４５に沿って延出する基部と、基部から連続して斜め下方に延出する延出部と、延出部から連続して下方に延出する押圧部とから構成されている。
【００３６】
前記基部は、Ｃ字状の軸受け部３２の下側の端部から連続して延出した状態となっているとともに、通常時に軸支持部４５の下面に当接した状態となっている。これにより、解錠方向の反対方向として、図４（ａ）において右回り方向への手掛けレバー３１の回転が規制されている。ここで、手掛けレバー３１は、通常時、上方に突出した状態のスイッチ５２の上面に押圧部の先端部が当接した状態となっており、この状態で、巾木１６の軸支持部４５に手掛けレバー３１の押圧片３５の基部が当接し、巾木１６の屋根片４７の掛止部４９に手掛けレバー３１の閉塞片３４先端の掛止片８１が当接することになり、手掛けレバー３１の解錠方向と逆方向への回転が規制されている。
なお、この際に、押圧片３５の基部が接続されるＣ字状の軸受け部３２の下側の先端部も軸支持部４５に当接した状態となる。
【００３７】
この状態から手掛けレバー３１を図中左周り、すなわち、解錠方向に回転させると、図４（ｂ）に示すように、押圧片３５も一体に回転することで下方に移動し、押圧片３５の押圧部が施錠装置３０のスイッチ５２を下方に押圧し、施錠装置３０の施錠を解錠する。そして、手掛けレバー３１の回転位置が、施錠装置３０を解錠する位置となってからさらに僅かに解錠方向に回転した際に、手掛けレバー３１のＣ字状の軸受け部３２の上側の端部が軸支持部４５に当接し、手掛けレバー３１の閉塞片３４先端の掛止片８１が屋根片４７の基部の垂直な部分に当接することにより、施錠が解錠された状態でさらに解錠方向に手掛けレバー３１が回転するのを規制している。この構成により、手掛けレバー３１の回転範囲は、基本的に施錠装置３０の施錠を維持する通常時の状態から施錠装置３０の施錠を解錠する状態までの範囲（図４（ａ）の状態と図４（ｂ）の状態との間となる範囲）となっている。
【００３８】
そして、以上のようなシャッター装置においては、手掛けレバー３１が、巾木１６の上下幅内において、巾木１６の上端部と、スイッチ５２を除く施錠装置３０の室内側の上端部との間に収まる配置とされている。そして、手掛けレバー３１は、基本的には巾木１６の上辺を構成する上辺部４１に対して回転自在に取り付けられるが、この際に、例えば、上辺部４１の下側に吊るされた状態で手掛けレバー３１を回転自在とすると、手掛けレバー３１の回転中心が手掛けレバー３１の上部に配置されることになる。この場合に、手掛けレバー３１の断面の重心に対して回転中心が上側に離れて配置された状態となり、手掛けレバー３１が振り子状態となり、左右に触れるように回転しやすい状態となる。
【００３９】
このような状態となってしまうと、例えば、閉じて施錠された状態のシャッターカーテンを外から叩いたり、押したりすると、その振動で手掛けレバー３１が揺れてしまい、手掛けレバー３１が施錠装置３０の解錠位置まで回転してしまう可能性がある。なお、施錠装置３０は、ロック部材等が施錠側にばね等で付勢されているので、この付勢力を強くすれば、手掛けレバー３１の揺れ程度で施錠を解錠できないように設定可能であるが、この場合には、手掛けレバー３１を操作して施錠装置３０を解錠する際に大きな力が必要になる。
【００４０】
そこで、この実施例では、上辺部４１から斜め下方に延出するように軸支持部４５を延出させ、軸４６の位置を下げることにより、手掛けレバー３１の上下位置を上述のように巾木１６の上部とした状態で、回転中心がほぼ手掛けレバー３１の断面の重心に配置されるようにしている。これにより、シャッターカーテン１２を叩く等しても手掛けレバー３１が揺れることがなく、手掛けレバー３１のゆれで施錠装置３０が解錠されてしまうことを施錠装置３０の上述の付勢力を強くすることなく防止することができる。
【００４１】
この際に、手掛けレバー３１の重心位置まで巾木１６の上辺部４１に接続される軸支持部４５を下方に下げることにより、軸４６と軸受け部３２との取付部が例えば上辺部４１の下面側とならずに、上方が開放された状態となり、埃が溜まり易い状態となってしまったのを上述の屋根片４７と、閉塞片３４とで上方を覆うことにより、埃が溜まるのを防止し、これにより上述のように埃が溜まって手掛けレバー３１の回転に支障を来たすのを防止するようにしている。
【００４２】
なお、上記例は、一例であり、図５から図８に示すような変形例や、それら以外の変更も可能である。なお、以下の変形例において、上記例とほぼ同様の構成には同様の符号を付して説明を省略している。なお、図５から図８において、（ａ）が上述の通常の状態で、（Ｂ）が施錠を解錠した状態である。
図５（Ａ）、（Ｂ）に示される例では、上記例（図４に示す例）で、閉塞片３４の基端がレバー本体３３の上板部の室内側端部に設けられていたのに対して、閉塞片３４ａの基端をレバー本体３３の上板部の室外側端部の近傍に形成し、これにより閉塞片３４ａが室外側に移動したことに基づいて、閉塞片３４ａを室外側に延出するのではなく、ほぼ上方に延出するように形成した点が異なるものとなっている。また、通常時において、閉塞片３４ａの先端が上記例より僅かに室内側となることに基づいて屋根片４７ａが僅かに長くなっている。さらに、図５の例では、上述の閉塞片３４の紐取付部材７２ａがレバー本体３３内に挿入されるベース部とベース部からレバー本体３３のスリット３６を通って突出するリング状の紐掛止部からなるものとなっている。
【００４３】
図６（Ａ）、（Ｂ）に示される例では、図５（Ａ）、（Ｂ）に示される例に対して、巾木１６の上辺部４１ｂの途中に室内側が高くなる段差が形成され、これにより、屋根片４７ｂの基端部のほぼ垂直に上方に延出する部分がなくなっている。
また、閉塞片３４ｂの先端を僅かに室外側となるようにし、その分屋根片４７ｂを上記図５に示す例より短くした構成となっている。また、この例では、図５（Ａ）、（Ｂ）に示される例に対して、軸支持部４５ｂの下方に垂直に延出する部分が短くされるとともに、略垂直な部分から斜めに延出する部分の長さが長くされ、かつ、傾斜が緩やかなものとされている。
これにより、上記例では、通常時に軸支持部４５と押圧片３５の基部が当接していたのに対して、軸支持部４５ｂの傾斜角が通常時の押圧片３５の基部と異なる角度となって、軸支持部４５ｂと押圧片３５の基部とが当接しないようになっている。なお、押圧片３５（基部）の基端となるＣ状の軸受け部３２の下側端部が上述の通常時に当接し、屋根片４７ｂの掛止部４９ｂと閉塞片３４ｂの掛止片８１とが上述の通常時に当接し、手掛けレバー３１の解錠方向と逆方向の回転を規制するようになっている。
【００４４】
図７（Ａ）、（Ｂ）に示される例では、図６（Ａ）、（Ｂ）に示される例に対して、巾木１６の上辺部４１ｃの途中に室内側が高くなる段差が形成された部分より室内側の部分の長さが長くされ、かつ、段差の室内側が高くされている。これにより屋根片４７ｃおよび軸支持部４５ｃが僅かに室内側に移動した状態となっている。これにより、施錠装置３０が解錠するまで手掛けレバー３１を回転した場合に、閉塞片３４ｃの先端が軸支持部４５ｃに当接して、手掛けレバー３１のさらなる解錠方向への移動を規制するようになっている。
【００４５】
図８（Ａ）、（Ｂ）に示される例では、図７（Ａ）、（Ｂ）に示される例に対して、Ｃ字状の軸受け部３２ｄの上側となる部分を僅かに短くすることで、上述の解錠時に、閉塞片３４ｃの先端が軸支持部４５ｃに当接しても、軸受け部３２ｄの上側の端部が軸支持部４５ｃに当接しないようになっている。これにより、軸支持部４５ｃと軸受け部３２ｄの上側端部との間に埃や異物が入り込むような事態が万が一に起きても、図８（ｂ）に示す解錠時に軸支持部４５ｃと軸受け部３２ｄの上側端部との間に隙間があることから、施錠装置３０が解錠されるまで、手掛けレバー３１を回転させることが可能となる。
なお、図８の例では、図７の例に対して、軸受け部３２ｄの上側を短くしたことに対応して、手掛けレバー３１の断面の重心位置がずれないように、押圧片３５ｄの形状を変更している。
なお、上述の全ての例において、軸受け部３２ｄの中心（手掛けレバー３１の回転中心）が、手掛けレバー３１の断面の略重心位置となるように設計されている。
【００４６】
図４に示される上記例において、屋根片４７の掛止部４９の部分に細い毛を密集させたブラシ状の部材である周知のモヘアを掛止部４９に沿って左右に延在するとともに、毛先を閉塞片３４に向けて取り付けてもよい。また、モヘアの毛先は、手掛けレバー３１を回転させることにより閉塞片３４が移動する際に、常時、閉塞片３４に当接するようにし、閉塞片３４の上側に埃が付いたような場合に、この埃をモヘアにより掃き取るような構成となっている。
これにより、閉塞片３４上に埃が溜まり、この埃の一部が手掛けレバー３１を操作した際に風等により、軸４６および軸受け部３２側に入り込んでしまうのを防止することができる。すなわち、手掛けレバー３１を操作するたびに、モヘアにより閉塞片３４上の埃が払われて閉塞片３４上に埃がたまらない状態となるとともに、通常状態から解錠方向に手掛けレバー３１を操作することにより、閉塞片３４が屋根片４７の下側に回りこむ際に、閉塞片３４の屋根片４７の下側に回り込む部分が事前にモヘアにより埃を払われた状態となる。
これにより、より確実に軸４６および軸受け部３２に埃が溜まるのを防止して、埃により手掛けレバー３１の解錠操作が阻害されるのを防止することができる。
【図面の簡単な説明】
【００４７】
【図１】本発明の第１の実施の形態に係るシャッター装置の縦断面図である。
【図２】前記シャッター装置の横断面図である。
【図３】前記シャッター装置の施錠装置及び手掛けレバーを有する巾木を示す側面図である。
【図４】前記巾木を示す断面図である。
【図５】前記シャッター装置の変形例の前記巾木を示す断面図である。
【図６】前記シャッター装置の変形例の前記巾木を示す断面図である。
【図７】前記シャッター装置の変形例の前記巾木を示す断面図である。
【図８】前記シャッター装置の変形例の前記巾木を示す断面図である。
【符号の説明】
【００４８】
１１      ガイドレール
１２      シャッターカーテン
１６      巾木
２１      枠部材
３０      施錠装置
３１      手掛けレバー
３２      軸受け部（回転取付部）
３４      閉塞片
４７      屋根片
【図１】
2007308997.tif 000003
【図２】
2007308997.tif 000004
【図３】
2007308997.tif 000005
【図４】
2007308997.tif 000006
【図５】
2007308997.tif 000007
【図６】
2007308997.tif 000008
【図７】
2007308997.tif 000009
【図８】
2007308997.tif 000010